(57)【要約】【課題】単電池の発熱量を抑制する技術を提供する技術を提供する。【解決手段】第１収納部１００ａと第２収納部１００ｂは、単電池４００を収納可能である。第１接続板２００は、第１収納部１００ａと第２収納部１００ｂに単電池４００が収納されている場合に封口体４２０と接続される。第２接続板３００は、第１収納部１００ａと第２収納部１００ｂに単電池４００が収納されている場合に電池ケース４１０の底面４１６に接続される。封口体４２０の周辺に設けられる第１種貫通孔１２０と、電池ケース４１０の側面４１４を囲む壁面１１０に設けられるリブ構造のうちの少なくとも１つが含まれる。【選択図】図４
2022003618.tif 000002
【特許請求の範囲】
【請求項１】
互いに異なった第１電極と第２電極のうちの前記第２電極を兼ねる有底筒状の電池ケースと、前記電池ケースの開口部を電気絶縁状態で閉塞して前記第１電極を兼ねる封口体と、前記封口体を貫通する開放部とを含む単電池を収納可能な収納部と、
前記収納部に前記単電池が収納されている場合に前記封口体と接続される平板状の第１接続板と、
前記収納部に前記単電池が収納されている場合に前記電池ケースの底面に接続される平板状の第２接続板とを備え、
前記収納部は、前記封口体の周辺に設けられる貫通孔と、前記電池ケースの側面を囲む側壁に設けられるリブ構造のうちの少なくとも１つを含む電池パック筐体。
【請求項２】
前記収納部は、複数の前記単電池を収納可能であり、複数の前記単電池のうち、最外周に配置される前記単電池に対して、前記貫通孔と前記リブ構造のうちの少なくとも１つを含む請求項１に記載の電池パック筐体。
【請求項３】
前記貫通孔の断面は扇形状を有する請求項１または２に記載の電池パック筐体。
【請求項４】
前記貫通孔の扇形状では、扇の円弧が前記第１接続板を向く請求項３に記載の電池パック筐体。
【請求項５】
前記貫通孔の扇形状では、扇の円弧が前記第２接続板を向く請求項３に記載の電池パック筐体。
【請求項６】
前記収納部は、複数の前記貫通孔を含み、複数の前記貫通孔の一部では扇の円弧が前記第１接続板を向き、複数の前記貫通孔の残りでは扇の円弧が前記第２接続板を向く請求項３に記載の電池パック筐体。
【請求項７】
前記収納部の前記リブ構造では、前記第２接続板側よりも前記第１接続板側においてリブが高い請求項１または２に記載の電池パック筐体。
【請求項８】
前記収納部の前記リブ構造では、前記第２接続板側よりも前記第１接続板側においてリブの幅が狭い請求項１または２に記載の電池パック筐体。
【請求項９】
前記収納部の前記リブ構造は、前記第１接続板と前記第２接続板との間において延びる請求項１または２に記載の電池パック筐体。
【請求項１０】
前記リブ構造のリブには熱伝導性の材質が含まれる請求項１または２記載の電池パック筐体。
【請求項１１】
前記収納部では、前記封口体の周辺に熱伝導性の材質が含まれる請求項１または２記載の電池パック筐体。
【請求項１２】
前記収納部に含まれる前記貫通孔を第１種貫通孔と呼ぶ場合、前記第１接続板は第２種貫通孔を含み、
前記第１種貫通孔の面積と、前記リブ構造のリブの間の空間の断面積とは、前記第２種貫通孔の面積よりも大きい請求項１または２に記載の電池パック筐体。
【請求項１３】
互いに異なった第１電極と第２電極のうちの前記第２電極を兼ねる有底筒状の電池ケースと、前記電池ケースの開口部を電気絶縁状態で閉塞して前記第１電極を兼ねる封口体と、前記封口体を貫通する開放部とを含む単電池と、
前記単電池を収納可能な収納部と、
前記収納部に前記単電池が収納されている場合に前記封口体と接続される平板状の第１接続板と、
前記収納部に前記単電池が収納されている場合に前記電池ケースの底面に接続される平板状の第２接続板とを備え、
前記収納部は、前記封口体の周辺に設けられる貫通孔と、前記電池ケースの側面を囲む側壁に設けられるリブ構造のうちの少なくとも１つを含む電池パック。
【発明の詳細な説明】
【技術分野】
【０００１】
本開示は、電池パック筐体、電池パックに関し、特に単電池を収納する電池パック筐体、電池パックに関する。
【背景技術】
【０００２】
リチウムイオン二次電池のような電池セルは、正極板と負極板との間に、それぞれの極板を電気的に絶縁し、電解液を保持する役割を有する絶縁層を備える。正極板、負極板、絶縁層の表面に付着した導体粉（異物）により絶縁層が破れ、正極板と負極板とが電気的に導通することによって、内部短絡が発生する。内部短絡が一旦発生すると、短絡電流に伴うジュール熱によって、電池セルが破壊してしまう場合も起こり得る。一方、電池セルで内部短絡が生じた場合でも、電池セルの安全性を確保するためには、内部短絡が発生した際の電池セルの安全性を正しく評価することが重要となる。その評価試験の一例が釘刺し試験である。釘刺し試験では、外部より電池セルに釘を突き刺し、正極板と負極板とを釘によって短絡させ、発生するジュール発熱によって生じる電池セルの温度や電圧などの変化が測定される（例えば、特許文献１参照）。
【先行技術文献】
【特許文献】
【０００３】
【特許文献１】国際公開第１２／１１７６６０号
【発明の概要】
【発明が解決しようとする課題】
【０００４】
電池セルのような単電池が複数収納されることによって電池パックが形成される。電池パックでは、１つの単電池において内部短絡による発熱が生じると、この発熱が他の単電池に伝わることによって熱暴走が生じるおそれがある。このような熱暴走の発生を抑制するために、１つの単電池において内部短絡による発熱が生じても、当該単電池の発熱量を抑制することが求められる。
【０００５】
本開示はこうした状況に鑑みなされたものであり、その目的は、単電池の発熱量を抑制する技術を提供することにある。
【課題を解決するための手段】
【０００６】
上記課題を解決するために、本開示のある態様の電池パック筐体は、互いに異なった第１電極と第２電極のうちの第２電極を兼ねる有底筒状の電池ケースと、電池ケースの開口部を電気絶縁状態で閉塞して第１電極を兼ねる封口体と、封口体を貫通する開放部とを含む単電池を収納可能な収納部と、収納部に単電池が収納されている場合に封口体と接続される平板状の第１接続板と、収納部に単電池が収納されている場合に電池ケースの底面に接続される平板状の第２接続板とを備える。収納部は、封口体の周辺に設けられる貫通孔と、電池ケースの側面を囲む側壁に設けられるリブ構造のうちの少なくとも１つを含む。
【０００７】
本開示の別の態様は、電池パックである。この電池パックは、互いに異なった第１電極と第２電極のうちの第２電極を兼ねる有底筒状の電池ケースと、電池ケースの開口部を電気絶縁状態で閉塞して第１電極を兼ねる封口体と、封口体を貫通する開放部とを含む単電池と、単電池を収納可能な収納部と、収納部に単電池が収納されている場合に封口体と接続される平板状の第１接続板と、収納部に単電池が収納されている場合に電池ケースの底面に接続される平板状の第２接続板とを備える。収納部は、封口体の周辺に設けられる貫通孔と、電池ケースの側面を囲む側壁に設けられるリブ構造のうちの少なくとも１つを含む。
【発明の効果】
【０００８】
本開示によれば、単電池の発熱量を抑制できる。
【図面の簡単な説明】
【０００９】
【図１】図１（ａ）−（ｂ）は、本実施例に係る電池パックの構造を示す図である。
【図２】図２（ａ）−（ｂ）は、図１（ｂ）−（ｃ）の単電池の構造を示す図である。
【図３】図３（ａ）−（ｃ）は、図２の単電池による熱暴走発生の概要を示す図である。
【図４】図４（ａ）−（ｅ）は、図１（ａ）−（ｃ）の電池パックの詳細な構造を示す図である。
【発明を実施するための形態】
【００１０】
本実施例を具体的に説明する前に、基礎となった知見を説明する。本実施例は、電池パックに関する。電池パックの筐体（以下、「電池パック筐体」という）には複数の単電池が収納される。単電池がリチウムイオン二次電池である場合、導体粉による絶縁層の破壊、あるいは高温下における絶縁層の収縮によって、正極板と負極板との間に内部短絡が発生しうる。正極板と負極板との間の内部短絡が発生すると、短絡電流に伴うジュール熱によって短絡部はさらに拡大するとともに異常加熱を生じ、単電池が破壊してしまう場合も起こり得る。このように単電池で生じた異常加熱が他の単電池に伝わると、他の単電池でも異常加熱が生じることによって熱暴走が発生しうる。以下の説明において、「平行」、「垂直」は、完全な平行、垂直だけではなく、誤差の範囲で平行、垂直からずれている場合も含む。また、「略」は、おおよその範囲で同一であるという意味である。
【００１１】
図１（ａ）−（ｂ）は、電池パック１０００の構造を示す。図１（ａ）は、電池パック１０００の外観を示す斜視図である。電池パック１０００は、電池パック筐体９００を含み、電池パック筐体９００は、収納部１００と総称される第１収納部１００ａ、第２収納部１００ｂ、第３収納部１００ｃ、複数の第１接続板２００、複数の第２接続板３００（図示せず）を含む。収納部１００は、箱形形状を有した容器であり、例えば、樹脂により形成される。収納部１００は、上側部分に配置される板形形状の第１収納部１００ａと、下側部分に配置される板形形状の第３収納部１００ｃと、第１収納部１００ａと第３収納部１００ｃとの間に配置される第２収納部１００ｂとを含む。第１収納部１００ａには複数の第１接続板２００が取り付けられ、第３収納部１００ｃには複数の第２接続板３００が取り付けられる。第１接続板２００、第２接続板３００は、導電性を有する金属性の平板である。
【００１２】
図１（ｂ）は、図１（ａ）の第２収納部１００ｂの内部構造を示す斜視図である。第２収納部１００ｂの内部には、第１単電池４００ａ等と総称される単電池４００が収納される。ここでは、一例として「１７５」個の単電池４００が収納されるが、第２収納部１００ｂに収納される単電池４００の数はこれに限定されない。
【００１３】
図２（ａ）−（ｂ）は、単電池４００の構造を示す。図２（ａ）は、単電池４００の外観図である。単電池４００は、電池ケース４１０、封口体４２０、開放部４２２、正極４３０、負極４３２を含む。単電池４００は円柱形状を有し、有底筒状の電池ケース４１０と、電池ケース４１０の開口部を電気絶縁状態で閉塞する封口体４２０を含む。単電池４００の形状は円柱形状に限定されず、パウチ形状、角形形状であってもよい。ここで、封口体４２０の上面が円形状の上面４１２であり、電池ケース４１０の側面が側面４１４であり、電池ケース４１０の下面が円形状の側面４１４である。電池ケース４１０と封口体４２０は、例えばスチール製である。上面４１２の中心部分には、上方に向かって突起する正極４３０が配置される。また、底面４１６は負極４３２でもある。封口体４２０には、封口体４２０を貫通する開放部４２２が含まれる。開放部４２２は、単電池４００の内部で発生したガスを単電池４００の外部に放出するための貫通孔である。正極４３０を第１電極と呼ぶ場合、負極４３２は第２電極と呼ばれる。
【００１４】
図２（ｂ）は、上面４１２と側面４１４に対して垂直方向の単電池４００の断面図である。単電池４００は、正極板４５０、セパレータ４６０、負極板４７０を内蔵し、正極板４５０、セパレータ４６０、負極板４７０は、渦巻き状に巻かれたスパイラル構造を有する。例えば、正極板４５０は、コバルト酸リチウムを主活物質とし、負極板４７０は、特殊カーボンを主活物質とする。また、セパレータ４６０は、電解液を含浸させた絶縁層である。
【００１５】
図１（ｂ）に示すように、複数の単電池４００は、第１グループ５００ａから第７グループ５００ｇに分類される。第１グループ５００ａから第７グループ５００ｇはグループ５００と総称され、各グループ５００には「２５」個の単電池４００が含まれる。第１グループ５００ａに含まれる複数の単電池４００では、正極４３０が上側に向けられ、負極４３２が下側に向けられる。第２グループ５００ｂに含まれる複数の単電池４００では、負極４３２が上側に向けられ、正極４３０が下側に向けられる。第３グループ５００ｃに含まれる複数の単電池４００では、正極４３０が上側に向けられ、負極４３２が下側に向けられる。このように隣接したグループ５００では、正極４３０が上下反対を向けられる。また、第２グループ５００ｂに含まれる複数の単電池４００の負極４３２と、第３グループ５００ｃに含まれる複数の単電池４００の正極４３０は、図１（ａ）のように１つの第１接続板２００に接続される。さらに、第１グループ５００ａに含まれる複数の単電池４００の負極４３２と、第２グループ５００ｂに含まれる複数の単電池４００の正極４３０は、１つの第２接続板３００に接続される。他のグループ５００に対しても第１接続板２００、第２接続板３００が同様に接続されることによって、第２収納部１００ｂにおける複数のグループ５００が直列に接続される。
【００１６】
熱暴走発生を抑制するための電池パック１０００の構造をさらに詳細に説明する前に、ここでは、単電池４００に対する釘刺し試験をもとにした熱暴走発生のメカニズムを説明する。図３（ａ）−（ｃ）は、単電池４００による熱暴走発生の概要を示す。図３（ａ）では、単電池４００の側面４１４に釘１０が刺される。図３（ｂ）は、図３（ａ）に続く状態であり、釘１０が単電池４００に刺されることによって、（ｉ）正極板４５０と負極板４７０が接触(短絡)することによりジュール熱が発生する。（ｉｉ）ジュール熱により正極４３０の結晶が崩壊し、酸素が発生する。（ｉｉｉ）負極４３２のリチウムと電解液とが反応することによって熱が発生する。（ｉｖ）酸素と負極４３２のカーボンが燃焼反応して、さらに発熱が生じる。（ｖ）（ｉ）〜（ｉｉｉ）のサイクルで発熱量が増加することにより電解液がガス化する。
【００１７】
また、単電池４００の発熱により、収納部１００、特に第１収納部１００ａの樹脂が溶融し、溶融した樹脂が開放部４２２を閉塞する。開放部４２２が閉塞されることによって、ガスが単電池４００の外部に放出されにくくなる。その結果、熱を持ったガスが単電池４００の内部に溜まることによって、単電池４００内の熱量がさらに増加する。
【００１８】
図３（ｃ）は、図３（ｂ）に続く状態であり、ジュール熱、燃焼熱、高熱ガスにより発熱量が増加した単電池４００が臨界点に達すると、高熱ガスが外部に放出される。その結果、他の単電池４００に熱が伝わることによって、熱暴走が発生する。また、熱を含んだガスが放出されることによって、底面４１６が吹き飛ばされる。
【００１９】
図４（ａ）−（ｅ）は、電池パック１０００の詳細な構造を示す。図４（ａ）は、１つの単電池４００の周辺を示す電池パック１０００の部分断面図である。ここで、単電池４００は、複数の単電池４００のうち、最外周に配置される単電池４００であり、例えば、図１（ｂ）の第１単電池４００ａから第９単電池４００ｉ、第１８単電池４００ｒである。第２収納部１００ｂには単電池４００が収納される。その際、封口体４２０における正極４３０は第１接続板２００に接続され、電池ケース４１０の底面４１６における負極４３２は第２接続板３００に接続される。
【００２０】
単電池４００の側面４１４は第２収納部１００ｂに囲まれ、封口体４２０は主として第１収納部１００ａに囲まれる。図３（ａ）−（ｂ）のように単電池４００が発熱した場合、第１収納部１００ａが溶融して、封口体４２０の開放部４２２が閉塞されるおそれがある。本実施例では、開放部４２２を閉塞しうる第１収納部１００ａの量、つまり溶融される第１収納部１００ａの量を減少させるために、第１収納部１００ａには複数の第１種貫通孔１２０が設けられる。例えば、複数の第１種貫通孔１２０は、封口体４２０の周辺、特に開放部４２２の周辺に設けられる。
【００２１】
第１種貫通孔１２０は扇形状の断面で第１収納部１００ａを貫通する。これは、第１収納部１００ａに対して上側から第１接続板２００が圧着されるときの強度を確保するためである。一例として、第１種貫通孔１２０の扇形状では、扇の円弧が第１接続板２００を向く。しかしながら、図４（ｂ）のように、第１種貫通孔１２０の扇形状では、扇の円弧が第２接続板３００を向いてもよい。また、第１収納部１００ａは、前述のごとく、樹脂により形成されるが、封口体４２０から排熱をしやすくするために熱伝導性の材質を含んでもよい。
【００２２】
図４（ｃ）は、第１接続板２００の一部の上面図を示す。第１接続板２００には、複数の第２種貫通孔２１０が設けられる。第２種貫通孔２１０は、例えば、封口体４２０上の正極４３０以外の場所に設けられる。これは、封口体４２０の周辺あるいは開放部４２２の周辺に設けられるともいえる。第２種貫通孔２１０は、溶融された第１収納部１００ａを第１接続板２００の上側に向かわせる。その結果、溶融された第１収納部１００ａが開放部４２２に向かうことが抑制される。
【００２３】
図４（ｄ）は、図４（ａ）のＡ−Ａ’線における断面図を示す。前述のごとく、単電池４００は円柱形状を有するので、断面図において電池ケース４１０の側面４１４は円形状を有する。側面４１４は、第２収納部１００ｂの壁面１１０により囲まれる。壁面１１０には、側面４１４に向かって突出するリブ１１２が離散的に複数配置されるとともに、リブ１１２が配置されない部分において、空間１１４と壁面１１０の間に空間１１４が形成される。
【００２４】
このようなリブ１１２と空間１１４とによって、壁面１１０はリブ構造を有する。壁面１１０のリブ構造は、第１接続板２００と第２接続板３００との間において上下方向に延びる。壁面１１０のリブ構造により、溶融された第１収納部１００ａは、第２接続板３００に向かって空間１１４を下向きに流れやすくなる。その結果、溶融された第１収納部１００ａが開放部４２２に向かうことが抑制される。図示のごとく、リブ１１２の高さは「Ｉｃ」と示され、リブ１１２の幅は「Ｆｃ」と示される。
【００２５】
また、空間１１４が形成されることによって、電池ケース４１０からの排熱がされやすくなる。さらに、リブ１１２の先端部分に伝導性材料１３０が配置される。伝導性材料１３０は熱伝導性の材料である。伝導性材料１３０の配置によっても、電池ケース４１０からの排熱がされやすくなる。
【００２６】
図４（ｅ）は、図４（ａ）のＢ−Ｂ’線、つまり図４（ｄ）よりも下側の部分の断面図断面図を示す。図４（ｅ）では、図４（ａ）と同様にリブ構造の壁面１１０が第２収納部１００ｂに設けられる。図示のごとく、リブ１１２の高さは「Ｉａ」と示され、リブ１１２の幅は「Ｆａ」と示される。ここで、Ｉａ＜Ｉｃであり、かつＦａ＞Ｆｃとされる。つまり、リブ１１２は、第２接続板３００側よりも第１接続板２００側において高い。また、リブ１１２の幅は、第２接続板３００側よりも第１接続板２００側において狭い。これより、ひとつの空間１１４の大きさは、第２接続板３００側よりも第１接続板２００側において広い。ひとつの空間１１４の大きさが第１接続板２００側において広くされるので、溶融された第１収納部１００ａがリブ構造の空間１１４を流れやすくなる。
【００２７】
１つの第１種貫通孔１２０の開口面積を「Ｘ」とし、１つの第２種貫通孔２１０の開口面積を「Ｙ」とし、１つの空間１１４の断面積を「Ｚ」とする場合、Ｙ＜Ｘ、Ｚとされる。例えば、側面４１４の最上端の断面積が「Ｚ」である。そのため、溶融した第１収納部１００ａは、第２種貫通孔２１０よりも空間１１４を通過しやすくなる。
【００２８】
本実施例によれば、第１収納部１００ａの第１種貫通孔１２０が封口体４２０の周辺に設けられるので、溶融される第１収納部１００ａの量を低減できる。また、溶融される第１収納部１００ａの量が低減されるので、開放部４２２を閉塞されにくくできる。また、開放部４２２が閉塞されにくくされるので、単電池４００の発熱量を抑制できる。また、単電池４００の発熱量が抑制されるので、熱暴走の発生を抑制できる。また、第２収納部１００ｂの壁面１１０にリブ構造が設けられるので、溶融された第１収納部１００ａを流れやすくできる。また、溶融された第１収納部１００ａがリブ構造の空間１１４を流れやすくなるので、開放部４２２を閉塞されにくくできる。
【００２９】
また、最外周に配置される単電池４００に対して、第１種貫通孔１２０とリブ構造のうちの少なくとも１つが設けられるので、第１種貫通孔１２０とリブ構造のうちの少なくとも１つの数を少なくできる。また、第１種貫通孔１２０の断面は扇形状を有するので、第１収納部１００ａに対して上側から第１接続板２００が圧着されるときの強度を確保できる。また、第１種貫通孔１２０の扇形状では、扇の円弧が第１接続板２００を向くので、構造の自由度を向上できる。また、第１種貫通孔１２０の扇形状では、扇の円弧が第２接続板３００を向くので、構造の自由度を向上できる。
【００３０】
また、第２収納部１００ｂのリブ構造では、第２接続板３００側よりも第１接続板２００側においてリブ１１２が高いので、溶融された第１収納部１００ａを流れやすくできる。また、第２収納部１００ｂのリブ構造では、第２接続板３００側よりも第１接続板２００側においてリブ１１２の幅が狭いので、溶融された第１収納部１００ａを流れやすくできる。また、第２収納部１００ｂのリブ構造は、第１接続板２００と第２接続板３００との間において延びるので、溶融された第１収納部１００ａを流れやすくできる。
【００３１】
また、リブ１１２には熱伝導性の材質が含まれるので、単電池４００の排熱性を向上できる。また、第１収納部１００ａでは、封口体４２０の周辺に熱伝導性の材質が含まれるので、単電池４００の排熱性を向上できる。また、第１種貫通孔１２０の面積と、空間１１４の断面積とは、第２種貫通孔２１０の面積よりも大きいので、溶融された第１収納部１００ａの量を低減しながら、リブ構造を流れやすくできる。
【００３２】
本開示の一態様の概要は、次の通りである。本開示のある態様の電池パック筐体（９００）は、互いに異なった第１電極（４３０）と第２電極（４３２）のうちの第２電極（４３２）を兼ねる有底筒状の電池ケース（４１０）と、電池ケース（４１０）の開口部を電気絶縁状態で閉塞して第１電極（４３０）を兼ねる封口体（４２０）と、封口体（４２０）を貫通する開放部（４２２）とを含む単電池（４００）を収納可能な収納部（１００）と、収納部（１００）に単電池（４００）が収納されている場合に封口体（４２０）と接続される平板状の第１接続板（２００）と、収納部（１００）に単電池（４００）が収納されている場合に電池ケース（４１０）の底面に接続される平板状の第２接続板（３００）とを備える。収納部（１００）は、封口体（４２０）の周辺に設けられる貫通孔（１２０）と、電池ケース（４１０）の側面（４１４）を囲む側壁（１１０）に設けられるリブ構造のうちの少なくとも１つを含む。
【００３３】
収納部（１００）は、複数の単電池（４００）を収納可能であり、複数の単電池（４００）のうち、最外周に配置される単電池（４００）に対して、貫通孔（１２０）とリブ構造のうちの少なくとも１つを含んでもよい。
【００３４】
貫通孔（１２０）の断面は扇形状を有してもよい。
【００３５】
貫通孔（１２０）の扇形状では、扇の円弧が第１接続板（２００）を向く。
【００３６】
貫通孔（１２０）の扇形状では、扇の円弧が第２接続板（３００）を向く。
【００３７】
収納部（１００）は、複数の貫通孔（１２０）を含み、複数の貫通孔（１２０）の一部では扇の円弧が第１接続板（２００）を向き、複数の貫通孔（１２０）の残りでは扇の円弧が第２接続板（３００）を向く。
【００３８】
収納部（１００）のリブ構造では、第２接続板（３００）側よりも第１接続板（２００）側においてリブ（１１２）が高い。
【００３９】
収納部（１００）のリブ構造では、第２接続板（３００）側よりも第１接続板（２００）側においてリブ（１１２）の幅が狭い。
【００４０】
収納部（１００）のリブ構造は、第１接続板（２００）と第２接続板（３００）との間において延びる。
【００４１】
リブ構造のリブ（１１２）には熱伝導性の材質が含まれる。
【００４２】
収納部（１００）では、封口体（４２０）の周辺に熱伝導性の材質が含まれる。
【００４３】
収納部（１００）に含まれる貫通孔（１２０）を第１種貫通孔（１２０）と呼ぶ場合、第１接続板（２００）は第２種貫通孔（２１０）を含んでもよい。第１種貫通孔（１２０）の面積と、リブ構造のリブ（１１２）の間の空間の断面積とは、第２種貫通孔（２１０）の面積よりも大きい。
【００４４】
本開示の別の態様は、電池パックである。この電池パックは、互いに異なった第１電極（４３０）と第２電極（４３２）のうちの第２電極（４３２）を兼ねる有底筒状の電池ケース（４１０）と、電池ケース（４１０）の開口部を電気絶縁状態で閉塞して第１電極（４３０）を兼ねる封口体（４２０）と、封口体（４２０）を貫通する開放部（４２２）とを含む単電池（４００）と、単電池（４００）を収納可能な収納部（１００）と、収納部（１００）に単電池（４００）が収納されている場合に封口体（４２０）と接続される平板状の第１接続板（２００）と、収納部（１００）に単電池（４００）が収納されている場合に電池ケース（４１０）の底面に接続される平板状の第２接続板（３００）とを備える。収納部（１００）は、封口体（４２０）の周辺に設けられる貫通孔（１２０）と、電池ケース（４１０）の側面（４１４）を囲む側壁（１１０）に設けられるリブ構造のうちの少なくとも１つを含む。
【００４５】
以上、本開示を実施例をもとに説明した。この実施例は例示であり、それらの各構成要素あるいは各処理プロセスの組合せにいろいろな変形例が可能なこと、またそうした変形例も本開示の範囲にあることは当業者に理解されるところである。
【００４６】
本実施例において、収納部１００は、第１種貫通孔１２０とリブ構造とを備える。しかしながらこれに限らず例えば、第１種貫通孔１２０とリブ構造とのいずれか一方だけが備えられてもよい。本変形例によれば構造を簡易にできる。
【００４７】
本実施例において、第１種貫通孔１２０では、扇の円弧が第１接続板２００を向いているか、扇の円弧が第２接続板３００を向いている。しかしながらこれに限らず例えば、複数の第１種貫通孔１２０の一部では扇の円弧が第１接続板２００を向き、複数の第１種貫通孔１２０の残りでは扇の円弧が第２接続板３００を向いていてもよい。本変形例によれば、構造の自由度を向上できる。
【符号の説明】
【００４８】
１０  釘、  １００  収納部、  １１０  壁面、  １１２  リブ、  １１４  空間、  １２０  第１種貫通孔（貫通孔）、  １３０  伝導性材料、  ２００  第１接続板、  ２１０  第２種貫通孔、  ３００  第２接続板、  ４００  単電池、  ４１０  電池ケース、  ４１２  上面、  ４１４  側面、  ４１６  底面、  ４２０  封口体、  ４２２  開放部、  ４３０  正極、  ４３２  負極、  ４５０  正極板、  ４６０  セパレータ、  ４７０  負極板、  ９００  電池パック筐体、  １０００  電池パック。
【図１】
2022003618.tif 000003
【図２】
2022003618.tif 000004
【図３】
2022003618.tif 000005
【図４】
2022003618.tif 000006